(57)【要約】【課題】  画面歪補正の偏向感度を低減して消費電力の少ない偏向ヨークを提供する。【解決手段】  水平偏向コイル２ａ，２ｂと、垂直偏向コイル３ａ，３ｂと、主画面歪補正コイル４ａと、磁気コア５ａとを備えた偏向ヨークにおいて、前記垂直偏向コイルとして使用されるコイル部分が、一対のコイル半体からなり、それぞれのコイル半体は第１のコイル部分７ａと第２のコイル部分７ｂに分割され、その第１のコイル部分７ａどうしおよび第２のコイル部分７ｂどうしがそれぞれ接続されるとともに、その第１のコイル部分７ａを垂直偏向用コイル３ａ，３ｂとして使用し、前記第２のコイル部分７ｂを副画面歪補正用コイル３ｃ，３ｄとして前記主画面歪補正コイル４ａに接続したことを特徴とする。【選択図】  図２
2005166264.tif 000002
【特許請求の範囲】
【請求項１】
水平偏向コイルと、垂直偏向コイルと、主画面歪補正コイルと、磁気コアとを備えた偏向ヨークにおいて、
前記垂直偏向コイルとして使用されるコイル部分が、一対のコイル半体からなり、それぞれのコイル半体は第１のコイル部分と第２のコイル部分に分割され、その第１のコイル部分どうしおよび第２のコイル部分どうしがそれぞれ接続されるとともに、その第１のコイル部分を垂直偏向用コイルとして使用し、前記第２のコイル部分を副画面歪補正用コイルとして前記主画面歪補正コイルに接続したことを特徴とする偏向ヨーク。
【請求項２】
水平偏向コイルと、垂直偏向コイルと、主画面歪補正コイルと、磁気コアとを備えた偏向ヨークにおいて、
前記垂直偏向コイルとして使用されるコイル部分が、一対のコイル半体からなり、それぞれのコイル半体は第１のコイル部分と第２のコイル部分と第３のコイル部分に分割され、その第１，第３のコイル部分どうしおよび第２のコイル部分どうしがそれぞれ接続されるとともに、その第１，第３のコイル部分を垂直偏向用コイルとして使用し、前記第２のコイル部分を副画面歪補正用コイルとして前記主画面歪補正コイルに接続したことを特徴とする偏向ヨーク。
【請求項３】
請求項１記載の偏向ヨークにおいて、前記第１のコイル部分と第２のコイル部分に分割するための中間タップを設けたことを特徴とする偏向ヨーク。
【請求項４】
請求項２記載の偏向ヨークにおいて、前記第１のコイル部分と第２のコイル部分と第３のコイル部分に分割するための中間タップを設けたことを特徴とする偏向ヨーク。
【請求項５】
請求項１または２記載の偏向ヨークにおいて、前記水平偏向コイルならびに垂直偏向コイルが鞍形に巻回されていることを特徴とする偏向ヨーク。
【請求項６】
請求項１または２記載の偏向ヨークにおいて、前記第２のコイル部分は、垂直軸から当該第２のコイル部分の重心までの巻回角度が０°〜３０°の範囲に規制されていることを特徴とする偏向ヨーク。
【請求項７】
偏向ヨークを陰極線管に装着した陰極線管表示装置において、前記偏向ヨークが請求項１ないし６のいずれか１項記載の偏向ヨークであることを特徴とする陰極線管表示装置。
【請求項８】
請求項７記載の陰極線管表示装置において、その陰極線管表示装置が、光の３原色に対応した３つの陰極線管と、その陰極線管からの映像を投写して合成表示する１つのスクリーンとを備えていることを特徴とする陰極線管表示装置。
【発明の詳細な説明】
【技術分野】
【０００１】
本発明は、偏向ヨーク及びそれを用いた陰極線管表示装置に係り、特にそれの画面歪補正用コイルに関するものである。
【背景技術】
【０００２】
図６は従来の陰極線管用偏向ヨークの外観図、図７はその陰極線管用偏向ヨークの結線図である。図７において２は水平偏向コイル２ａ,２ｂを並列に接続した水平偏向回路、３は垂直偏向コイル３ａ,３ｂを並列に接続した垂直偏向回路、４は主画面歪補正コイル４ａを接続した画面歪補正回路である。また、図６に示すように単に偏向ヨークの小径部側において、主画面歪補正用コア４ｂに主画面歪補正コイル４ａを巻線したものが配置されていた。また同図において、５ａは磁気コアである。
【０００３】
従来の偏向ヨークは、前記主画面歪補正用コア４ｂの取付けスペースに限りがあったため、主画面歪補正用コア４ｂを長くすることができず、画面歪補正用コイルの偏向感度（ＬＩ2）の低減には限度があった。
【発明の開示】
【発明が解決しようとする課題】
【０００４】
カラープロジェクション型テレビは、光の３原色（赤，緑,青）に対応した３つの陰極線管（ブラウン管）を設け、それらの陰極線管からの映像を、光学系を用いて反射式または透過式のスクリーンに投写して合成表示する形式の陰極線管表示装置である。
【０００５】
この方式は図８に示すように、赤色に対応した陰極線管９ａと、緑色に対応した陰極線管９ｂと、青色に対応した陰極線管９ｃとを、1つのスクリーン８に対してそれぞれ配置している。同図の例では、陰極線管９ｂがスクリーン８の正面に配置され、陰極線管９ａはスクリーン８に対して左側から投写するように配置され、陰極線管９ｃはスクリーン８に対して右側から投写するように配置されている。
【０００６】
同図おいて上側に分けて記載したスクリーン８のうちで、左側に記載しているスクリーン８の状態は陰極線管９ａで赤だけを投写した場合の格子状の映像を、正面に記載しているスクリーン８の状態は陰極線管９ｂで緑だけを投写した場合の格子状の映像を、右側に記載しているスクリーン８の状態は陰極線管９ｃで青だけを投写した場合の格子状の映像を、それぞれ分けて示している。またこれらの下側に記載したスクリーン８は、３色を合成した場合の映像を示している
この図に示すように、スクリーン８の正面に配置されている緑色に対応した陰極線管９ｂは問題ないが、その左右に配置されている赤と青の光は、スクリーン８にたどり着くまでの距離が右端と左端で異なるため、赤の水平台形歪は左側が窄み、反対に青は右側が窄んだ形となる。この水平台形歪の補正は、前記主画面歪補正コイル４ａを用いて行うが、補正量が大きく、消費電力も問題がある。
【０００７】
本発明の目的は、このような従来技術の欠点を解消し、画面歪補正の偏向感度を低減して消費電力の少ない偏向ヨーク及びそれを用いた陰極線管表示装置を提供することにある。
【課題を解決するための手段】
【０００８】
前記目的を達成するため本発明の第１の手段は、水平偏向コイルと、垂直偏向コイルと、主画面歪補正コイルと、磁気コアとを備えた偏向ヨークにおいて、前記垂直偏向コイルとして使用されるコイル部分が、一対のコイル半体からなり、それぞれのコイル半体は第１のコイル部分と第２のコイル部分に分割され、その第１のコイル部分どうしおよび第２のコイル部分どうしがそれぞれ接続されるとともに、その第１のコイル部分を垂直偏向用コイルとして使用し、前記第２のコイル部分を副画面歪補正用コイルとして前記主画面歪補正コイルに接続したことを特徴とするものである。
【０００９】
前記目的を達成するため本発明の第２手段は、水平偏向コイルと、垂直偏向コイルと、主画面歪補正コイルと、磁気コアとを備えた偏向ヨークにおいて、前記垂直偏向コイルとして使用されるコイル部分が、一対のコイル半体からなり、それぞれのコイル半体は第１のコイル部分と第２のコイル部分と第３のコイル部分に分割され、その第１，第３のコイル部分どうしおよび第２のコイル部分どうしがそれぞれ接続されるとともに、その第１，第３のコイル部分を垂直偏向用コイルとして使用し、前記第２のコイル部分を副画面歪補正用コイルとして前記主画面歪補正コイルに接続したことを特徴とするものである。
【００１０】
本発明の第３の手段は前記第１の手段において、前記第１のコイル部分と第２のコイル部分に分割するための中間タップを設けたことを特徴とするものである。
【００１１】
本発明の第４の手段は前記第２の手段において、前記第１のコイル部分と第２のコイル部分と第３のコイル部分に分割するための中間タップを設けたことを特徴とするものである。
【００１２】
本発明の第５の手段は前記第１または第２の手段において、前記水平偏向コイルならびに垂直偏向コイルが鞍形に巻回されていることを特徴とするものである。
【００１３】
本発明の第６の手段は前記第１または第２の手段において、前記第２のコイル部分は、垂直軸から当該第２のコイル部分の重心までの巻回角度が０°〜３０°の範囲に規制されていることを特徴とするものである。
【００１４】
本発明の第７の手段は、偏向ヨークを陰極線管に装着した陰極線管表示装置おいて、前記偏向ヨークが第１から６の手段の偏向ヨークであることを特徴とするものである。
【００１５】
本発明の第８の手段は前記第７の手段において、その陰極線管表示装置が、光の３原色に対応した３つの陰極線管と、その陰極線管からの映像を投写して合成表示する１つのスクリーンとを備えていることを特徴とするものである。
【発明の効果】
【００１６】
本発明では前述のような構成になっており、主画面歪補正コイルの偏向領域を副画面歪補正コイルによって広くして、画面歪補正の偏向感度を大幅に低減することができ、消費電力の少ない偏向ヨーク及びそれを用いた陰極線管表示装置を提供することができる。
【発明を実施するための最良の形態】
【００１７】
以下、本発明の実施形態を図面とともに説明する。図１は本発明の第１実施形態に係る偏向ヨークの外観図、図２はその偏向ヨークの結線図、図３（ａ）はその偏向ヨークの垂直偏向コイルと副画面歪補正コイルの外観図、同図（ｂ）は垂直偏向コイルと副画面歪補正コイルの断面図、同図（ｃ）は直偏向コイルと副画面歪補正コイルの接続関係を示す図、同図（ｄ）は垂直偏向回路と画面歪補正回路の結線図である
本発明の実施形態に係る偏向ヨークは図1に示すように、偏向ヨークの小径部側に主画面歪補正用コア４ｂに主画面歪補正コイル４ａを巻線したものが配置され、５ａは磁気コアである。また図２に示すように、水平偏向回路２は鞍形に巻線した水平偏向コイル２ａと水平偏向コイル２ｂを並列に接続しており、垂直偏向回３は鞍形に巻線した垂直偏向コイル３ａと垂直偏向コイル３ｂを並列に接続しており、画面歪補正回路４は主画面歪補正コイル４ａと副画面歪補正コイル３ｃと副画面歪補正コイル３ｄを直列に接続している。
【００１８】
本発明の実施形態では、垂直偏向コイル３ａ,３ｂと副画面歪補正コイル３ｃ,３ｄを同時に巻線する。これは通常の垂直偏向コイル３ａ,３ｂを巻線した直後に中間タップ６ａを引き出し、さらに継続して副画面歪補正コイル３ｃ,３ｄを巻線することにより、垂直偏向コイル３ａ,３ｂと副画面歪補正コイル３ｃ,３ｄが一対になって設けられる。
【００１９】
具体的には、垂直偏向コイルとして使用されるコイルの部分が図３（ｂ）に示すように一対のコイル半体３ａと３ａ，３ｂと３ｂ，３ｃと３ｃ，３ｄと３ｄからなり、それぞれのコイル半体は図３（ｄ）に示すように第１のコイル部分７ａと第２のコイル部分７ｂに分割され、その第１のコイル部分７ａどうしおよび第２のコイル部分７ｂどうしがそれぞれ直列または並列に接続されるとともに（本実施形態では直列に接続）、その第１のコイル部分７ａを垂直偏向用コイル３ａ，３ｂとして使用し、前記第２のコイル部分７ｂを副画面歪補正用コイル３ｃ，３ｄとして使用し、さらに副画面歪補正用コイル３ｃ，３ｄは主画面歪補正コイル４ａ直列または並列に接続されている（本実施形態では直列に接続）。
【００２０】
そして前述の第１のコイル部分７ａと第２のコイル部分７ｂに分割するために図３（ａ）〜（ｃ）に示すように中間タップ６ａを設けており、巻始めから中間タップ６ａまでの第１のコイル部分７ａを垂直偏向コイル３ａ,３ｂ、中間タップ６ａから巻終わりまでの第２のコイル部分７ｂを副画面歪補正コイル３ｃ,３ｄに使用している。
【００２１】
副画面歪補正コイル３ｃ,３ｄの最適なインダクタンスは、主画面歪補正コイル４ａのインダクタンスによって異なる。
【００２２】
画面歪補正コイルの偏向感度を低減させる手段として、主画面歪補正用コア４ｂの長さを長くすることにより、画面歪補正コイルから発生する磁束を増やして偏向感度を低減できるが、主画面歪補正用コア４ｂの取付けスペースに限りがある。そのため本発明では、主画面歪補正コイル４ａの偏向領域を副画面歪補正コイル３ｃ，３ｄによって広くして、画面歪補正の偏向感度を大幅に低減することができる。
【００２３】
画面歪補正コイルの偏向感度を左右する要因は、偏向領域の他に大きく分けて２つある。その第1は、コイルの巻数であり、これはある一定以上巻線しても（インダクタンスを上げても）、偏向感度はＬＩ2であるため変わらないが、ある一定以下の巻数の場合、画面歪補正の偏向感度を悪化させることができる。
【００２４】
その第２は画面歪補正コイルの位置であり、ある一定の位置までは電子銃側に配置させた方が、画面歪補正の偏向感度が低減できる。
【００２５】
本発明において、副画面歪補正コイル３ｃ,３ｄの巻数は前述の２つの要因をコントロールしているため、副画面歪補正コイル３ｃ,３ｄの巻数を偏向感度が最良になるまで巻線して、主画面歪補正用コア４ｂと接線した場合、偏向領域を広くしたことよりも、磁気コアが管面側に位置した影響が強く、偏向重心が管面側にシフトし逆に偏向感度を悪化させてしまう。
【００２６】
前記第２のコイル部分７ｂは、垂直軸から当該第２のコイル部分７ｂの重心までの巻回角度を０°〜３０°の範囲に規制している。巻回角度が３０°を超えると画面歪補正偏向感度の改善効果が少ないという問題がある。従って前記巻回角度を０°〜３０°の範囲に規制する必要がある。
【００２７】
図５は、主画面歪補正コイル４ａの巻数を一定にして、副画面歪補正コイル３ｃ,３ｄの巻数（インダクタンス）を変化させたときの歪補正感度の変化を示す特性図である。同図に示すように、副画面歪補正コイル３ｃ,３ｄの巻数（インダクタンス）を増やした場合、あるところから歪補正感度が悪化していることが分かる。
【００２８】
本実施形態を適用する場合、副画面歪補正コイル３ｃ,３ｄをある一定以下の巻数に設定し、あえて副画面歪補正コイル３ｃ,３ｄの偏向感度を良くせずに、主画面歪補正コイル４ａと副画面歪補正コイル３ｃ,３ｄを結線した状態で、歪補正感度が最適になるように、主画面歪補正コイル４ａと副画面歪補正コイル３ｃ,３ｄのインダクタンスの比を設定することにより、大幅な画像歪偏向感度の低減が可能となる。
【００２９】
副画面歪補正コイル３ｃ,３ｄは図３に示すように、巻終わり側（巻回角度０°）で副画面歪補正コイル３ｃ,３ｄを作った場合、画面歪補正コイルの偏向感度は低減できるが、垂直偏向コイル３ａ，３ｂで巻き終わり側が使えなくなるため、垂直偏向感度が多少高くなる。これが本発明の第1の実施形態である。また逆に巻き始め側（巻回角度約７０°）で副画面歪補正コイル３ｃ,３ｄを作ることにより、その劣化を最小限にすることができるが、画面歪補正コイルの偏向感度が悪化する。
【００３０】
それぞれの問題を解決したのが、図４に示す本発明の第２の実施形態である。垂直偏向コイルとして使用されるコイルの部分が、図４（ｂ）に示すように一対のコイル半体３ａと３ａ，３ｂと３ｂ，３ｃと３ｃ，３ｄと３ｄ，３ｅと３ｅ，３ｆと３ｆからなり、それぞれのコイル半体は巻始め側の第１のコイル部分７ａと、中間の第２のコイル部分７ｂと、巻き終わり側の第３のコイル部分７ｃに分割され、その第１，第３のコイル部分７ａ，７ｃどうしおよび第２のコイル部分７ｂどうしがそれぞれ接続される。そして第１，第３のコイル部分７ａ，７ｃを垂直偏向用コイル３ａ，３ｂ，３ｅ，３ｆとして使用し、前記第２のコイル部分７ｃを副画面歪補正用コイル３ｃ，３ｄとして使用し、主画面歪補正コイル４ａに直列または並列に接続する（本実施形態の場合は直列に接続）。
【００３１】
なお、このコイルの３分割は、中間タップ６ａと第２中間タップ６ｂによって行われる。そして巻き始めから中間タップ６ａまでのコイル（第１のコイル部分７ａ）を垂直偏向コイル３ａ，３ｂとし、中間タップ６ａから第２中間タップ６ｂまでのコイル（第２のコイル部分７ｂ）を副画面歪補正コイル３ｃ,３ｄとし、第２中間タップ６ｂから巻き終わりまでのコイル（第３のコイル部分７ｃ）を第２垂直偏向コイル３ｅ，３ｆとする。
【００３２】
そして図４（ｄ）に示すように、垂直偏向コイル３ａ，３ｂと第２垂直偏向コイル３ｅ，３ｆをそれぞれ直列に接続してこれらを垂直偏向コイルとして使用し、主副画面歪補正コイル４ａと副画面歪補正コイル３ｃ,３ｄを直列に接続して画面歪補正コイルとして使用する。
【００３３】
本発明の偏向ヨークは陰極線管に装着されて、陰極線管表示装置を構成する。この陰極線管表示装置として、特に光の３原色に対応した３つの陰極線管と、その陰極線管からの映像を投写して合成表示する１つのスクリーンとを備えたカラープロジェクション型テレビに好適である。
【図面の簡単な説明】
【００３４】
【図１】本発明の第１実施形態に係る偏向ヨークの外観図である。
【図２】その第１実施形態に係る偏向ヨークの水平偏向回路、垂直偏向回路ならびに画面歪補正回路の結線図である。
【図３】その第１実施形態に係る偏向ヨークの垂直偏向コイルと副画面歪補正コイルの外観図（ａ）、垂直偏向コイルと副画面歪補正コイルの断面図（ｂ）、垂直偏向コイルと副図面歪補正コイルの接続関係を示す図（ｃ）、垂直偏向回路と画面歪補正回路の結線図である。
【図４】本発明の第２実施形態に係る偏向ヨークの垂直偏向コイルと副画面歪補正コイルの外観図（ａ）、垂直偏向コイルと副画面歪補正コイルの断面図（ｂ）、垂直偏向コイルと副画面歪補正コイルと第２垂直偏向コイルの接続関係を示す図（ｃ）、垂直偏向回路と画面歪補正回路の結線図（ｄ）である。
【図５】本発明の第１実施形態に係る偏向ヨークにおいて、副画面歪補正コイルの巻数（インダクタンス）を変化させたときの副画面歪補正コイルの偏向感度の変化を示す特性図である。
【図６】従来の偏向ヨークの外観図である。
【図７】その偏向ヨークの水平偏向回路、垂直偏向回路ならびに画面歪補正回路の結線図である。
【図８】カラープロジェクション型テレビにおける従来技術の課題を説明するための図である。
【符号の説明】
【００３５】
２：水平偏向回路、２ａ，２ｂ：水平偏向コイル、３：垂直偏向回路、３ａ，３ｂ：垂直偏向コイル、３ｃ，３ｄ：副画像歪補正コイル、３ｅ，３ｆ：第２垂直偏向コイル、４：画面歪補正回路、４ａ：主副画像歪補正コイル、４ｂ：主副画像歪補正用コア、５ａ：コア、６ａ：中間タップ、６ｂ：第２中間タップ、７ａ：第１のコイル部分、７ｂ：第２のコイル部分、７ｃ：第３のコイル部分。
【図１】
2005166264.tif 000003
【図２】
2005166264.tif 000004
【図３】
2005166264.tif 000005
【図４】
2005166264.tif 000006
【図５】
2005166264.tif 000007
【図６】
2005166264.tif 000008
【図７】
2005166264.tif 000009
【図８】
2005166264.tif 000010